(57)【特許請求の範囲】
【請求項１】
通過球検出スイッチと、該通過球検出スイッチと電気的に接続される配線手段とを有するパチンコ球を検出可能なパチンコ球検出手段を備えたパチンコ球を使用する遊技機であって、
前記通過球検出スイッチはケース体を備え、
該ケース体は、通過球検出センサと、該通過球検出センサと電気的に接続される接続端子が配設された基板とを収容すると共に、
パチンコ球が通過し得るパチンコ球通過穴と、
前記通過球検出スイッチと前記配線手段との電気的接続に用いられる接続用開口とが形成され、
前記配線手段は、
電気信号を伝達する芯線と、該芯線の端部に配設され前記接続端子と接続される金属製の導電接続部材と、前記芯線を被膜する樹脂被膜とで構成される複数の導電線と、
該複数の導電線の端部を覆うと共に、該複数の導電線で共用される非導電性の接続固定用樹脂とを有し、
前記複数の導電線の前記芯線の端部、前記導電接続部材及び前記樹脂被膜の端部を前記接続固定用樹脂に内包させると共に、前記導電接続部材が前記接続端子に接続された状態となるよう、前記配線手段と前記通過球スイッチとを前記接続固定用樹脂で固定することにより前記パチンコ球検出手段が構成され、
前記接続固定用樹脂は、
少なくとも前記接続固定用樹脂に内包される前記導電線の端部に位置する前記導電接続部材を各導電線ごとに隔てると共に、
前記接続固定用樹脂から前記導電線が抜け落ちないよう前記接続固定用樹脂に内包される前記複数の導電線の端部をそれぞれ係止するものであることを特徴とするパチンコ球を検出可能なパチンコ球検出手段を備えたパチンコ球を使用する遊技機。
【発明の詳細な説明】
【０００１】
【発明の属する技術分野】
本発明は、パチンコ球の通過を電気信号にて検出するパチンコ球通過検出器に関するものである。
【０００２】
【従来の技術】
例えば入賞球の通過を光センサ，磁気センサ等によって電気信号に変換して検出するため、パチンコ機内に従来から設けられているパチンコ球通過検出器は、図４に例示したように、ケース体ａの先端部にパチンコ球が通過し得る通過穴ｂが形成され、該ケース体に収蔵されたプリント基板ｃの一部に導電部ｄ，ｅ，ｆがプリントされた端子ｇを形成し、該端子ｇをケース体ａの後端部より突出させた構成であった。
【０００３】
【発明が解決しようとする課題】
ところがこの種のパチンコ球通過検出器では、各リード線５，６，７のビニル被膜が引張られると芯線がむけ出てショートするというおそれがあった。
【０００４】
【課題を解決するための手段】
本発明のパチンコ球を使用する遊技機は、上記課題を解決しようとするもので、通過球検出スイッチと、該通過球検出スイッチと電気的に接続される配線手段とを有するパチンコ球を検出可能なパチンコ球検出手段を備えたパチンコ球を使用する遊技機であって、前記通過球検出スイッチはケース体を備え、該ケース体は、通過球検出センサと、該通過球検出センサと電気的に接続される接続端子が配設された基板とを収容すると共に、パチンコ球が通過し得るパチンコ球通過穴と、前記通過球検出スイッチと前記配線手段との電気的接続に用いられる接続用開口とが形成され、前記配線手段は、電気信号を伝達する芯線と、該芯線の端部に配設され前記接続端子と接続される金属製の導電接続部材と、前記芯線を被膜する樹脂被膜とで構成される複数の導電線と、該複数の導電線の端部を覆うと共に、該複数の導電線で共用される非導電性の接続固定用樹脂とを有し、前記複数の導電線の前記芯線の端部、前記導電接続部材及び前記樹脂被膜の端部を前記接続固定用樹脂に内包させると共に、前記導電接続部材が前記接続端子に接続された状態となるよう、前記配線手段と前記通過球スイッチとを前記接続固定用樹脂で固定することにより前記パチンコ球検出手段が構成され、前記接続固定用樹脂は、少なくとも前記接続固定用樹脂に内包される前記導電線の端部に位置する前記導電接続部材を各導電線ごとに隔てると共に、前記接続固定用樹脂から前記導電線が抜け落ちないよう前記接続固定用樹脂に内包される前記複数の導電線の端部をそれぞれ係止するものであることを特徴とするパチンコ球を検出可能なパチンコ球検出手段を備えたことを特徴とする。
【０００５】
【発明の実施の形態】
次に図１〜図３に従い本発明の実施の形態を説明する。図１にこのパチンコ球通過検出器の外観斜視図、図２にその分解斜視図、図３にその電気回路の概略図を示す。図において、１はプリント基板、２は該プリント基板１に半田付された投光器（発光ダイオード）、３は同じく該プリント基板１に半田付された受光器（フォトダイオード）である。なお受光器３の樹脂モールドパッケージ中には信号増幅用アンプ，コンパレータ等を構成する電子回路が組込まれ、該投光器２と受光器３により通過球センサが構成される。Ｒ，Ｃは該プリント基板１上に該通過球センサの電源電圧安定化のために設けられた抵抗器とコンデンサである。
【０００６】
そして該プリント基板１上に電源電圧端子Ｖccと出力電圧端子Ｖｏとグランド端子Ｇが夫々設けられ、該各端子に赤色のビニル被膜を有するリード線５と、黄色のビニル被膜を有するリード線６と、黒色のビニル被膜を有するリード線７を夫々半田付すると共に、該各リード線の半田付部分にエポキシ樹脂等の非導電性の樹脂８を肉盛することにより樹脂モールドする。このエポキシ樹脂等の硬化により、半田付部分は有効に保護される。
【０００７】
１０，１１は夫々係合爪１２，係合部１３が形成され互いに合着し得る二つ割なるように形成された直方形状のケース体で、該ケース体１０，１１の先端部にはパチンコ球１４が通過し得る通過穴１５，１６が形成されている。そして、該通過穴１５，１６の内周には、透明なプラスチックにより形成された環状の反射体１７が装着されている。この反射体１７は投光器２からの光を受光器３に有効に入射させるものである。該通過穴１５，１６をパチンコ球１４が通過する時にはパチンコ球１４により投光器２からの光はパチンコ球１４により遮断され受光器３には入射されない。
また、該ケース体１０，１１の後端部には前記リード線５，６，７を導出するためのスリット状の開口１８が形成されている。なお、１９はケース体１１の内面に形成されたプリント基板１の位置決用突起である。
【０００８】
このように構成したパチンコ球通過検出器では、樹脂８によって各リード線５，６，７のビニル被膜がプリント基板１に固着されるので、そのビニル被膜が引張られても芯線がむけ出てケース体１１，係合爪１２内でショートするようなおそれがない。また、該各リード線５，６，７のプリント基板１に対する半田付は該パチンコ球通過検出器を組立てる前工程にて予め行なわれるので、従来のようにパチンコ機に組付けるに際して狭い端子間をショートさせるようなおそれがない。
【０００９】
【発明の効果】
このように本発明のパチンコ球通過検出器は、樹脂８によって各リード線５，６，７が抜けないように各リード線５，６，７の端部が係止されているので、そのビニル被膜が引っ張られても芯線がむけ出てショートするようなおそれを非常に少なくできる。
【図面の簡単な説明】
【図１】本発明に係るパチンコ球通過検出器の外観斜視図。
【図２】図１のパチンコ球通過検出器の分解斜視図。
【図３】図１のパチンコ球通過検出器の電気回路の概略図。
【図４】従来のパチンコ球通過検出器の外観斜視図。
【符号の説明】
１            プリント基板
２            投光器
３            受光器
５，６，７    リード線
８            樹脂
１０，１１    ケース体
１４          パチンコ球
１５，１６    通過穴
１８          開口
【図１】
0003968829.tif 000002
【図２】
0003968829.tif 000003
【図３】
0003968829.tif 000004
【図４】
0003968829.tif 000005